(57)【要約】【課題】浴室において観視者に対して裸眼の立体像を提供する。【解決手段】浴槽と、浴室に設置される表示システムと、を備える浴室システムであって、表示システムは、浴槽内の専用メガネを装着しない観視者の右眼に対して右眼用画像を与え、観視者の左眼に対して左眼用画像を与えることにより、立体的画像を表示する表示部と、観視者の頭部の位置を規制する頭部規制部と、を備える浴室システムを提供する。表示部は、４視点以下の視点に対して右眼用画像および左眼用画像を与え、表示部の表示面には、曇りを防止する曇り防止機能が設けられる。【選択図】図１
2013093743.tif 000002
【特許請求の範囲】
【請求項１】
浴室に設置される表示システムであって、
浴槽内の専用メガネを装着しない観視者に対して立体的画像を表示する表示部と、
前記観視者の頭部の位置を規制する頭部規制部と、
を備える表示システム。
【請求項２】
前記表示部は、前記観視者の右眼に対して右眼用画像を与え、前記観視者の左眼に対して左眼用画像を与える
請求項１に記載の表示システム。
【請求項３】
前記表示部は、４視点以下の視点に対して右眼用画像および左眼用画像を与える
請求項２に記載の表示システム。
【請求項４】
前記表示部の表示面には、曇りを防止する曇り防止機能が設けられる
請求項１から３の何れか１項に記載の表示システム。
【請求項５】
前記表示部は、２次元画像を表示領域内において左右にずらした右眼用画像および左眼用画像を表示する
請求項１から４の何れか１項に記載の表示システム。
【請求項６】
前記２次元画像を表示領域内において相対的に右側にずらして前記右眼用画像を生成し、前記２次元画像を表示領域内において相対的に左側にずらして前記左眼用画像を生成する画像生成部と、
前記右眼用画像の左側における空白部分に画像を付加し、前記左眼用画像の右側における空白部分内に画像を付加する端部処理部と、
を更に備える
請求項５に記載の表示システム。
【請求項７】
前記端部処理部は、
前記右眼用画像の左側に、前記左眼用画像における前記表示領域の左端から予め定められた範囲内に表示される部分画像を付加し、
前記左眼用画像の右側に、前記右眼用画像における前記表示領域の右端から予め定められた範囲内に表示される部分画像を付加する
請求項６に記載の表示システム。
【請求項８】
前記端部処理部は、
前記右眼用画像を左に拡大することにより、前記空白部分に画像を付加した右眼用画像を生成し、
前記左眼用画像を右に拡大することにより、前記空白部分に画像を付加した左眼用画像を生成する
請求項７に記載の表示システム。
【請求項９】
前記端部処理部は、
前記右眼用画像の左側に画像を付加することに代えて、前記左眼用画像の左側の予め定められた範囲を削除し、
前記左眼用画像の右側に画像を付加することに代えて、前記右眼用画像の右側の予め定められた範囲を削除する
請求項８に記載の表示システム。
【請求項１０】
前記表示部は、表示領域の右端から予め定められた範囲および左端の予め定められた範囲に枠画像を表示する
請求項５に記載の表示システム。
【請求項１１】
動画像データの指定区間内において、順方向から逆方向への折返しおよび逆方向から順方向への折返しを交互に繰り返して再生する再生部を更に備え、
前記表示部は、前記再生部により再生された動画像を表示する
請求項１から１０の何れか１項に記載の表示システム。
【請求項１２】
前記再生部は、順方向から逆方向への折返し位置および逆方向から順方向への折返し位置を、折返し毎に変更する
請求項１１に記載の表示システム。
【請求項１３】
前記動画像データにおける非可逆的な動作をするオブジェクトが表示されない区間を前記指定区間として指定する指定部を更に備える
請求項１１または１２に記載の表示システム。
【請求項１４】
浴室システムであって、
浴槽と、
請求項１から１３の何れか１項に記載の表示システムと、
を備える浴室システム。
【請求項１５】
前記表示部は、浴室における前記観視者の足側の壁に設けられ、
前記頭部規制部は、前記浴槽の前記観視者の頭側の上縁に設けられる
請求項１４に記載の浴室システム。
【請求項１６】
前記表示部は、浴室の外部に設けられた再生装置から画像データを受信して表示する
請求項１４または１５に記載の浴室システム。
【請求項１７】
前記表示部は、表示面の周囲に設けられる枠縁を有する
請求項１４から１６の何れか１項に記載の浴室システム。
【発明の詳細な説明】
【技術分野】
【０００１】
本発明は、表示システムおよび浴室システムに関する。
【背景技術】
【０００２】
従来より、浴室内に設けられる表示装置が知られている。このよう表示装置によれば、入浴をしながら映像を鑑賞することができる。
［先行技術文献］
［特許文献１］特開２０１０−１７１６２８号公報
［特許文献２］特開２０１１−０８７０１９号公報
【発明の概要】
【発明が解決しようとする課題】
【０００３】
しかしながら、入浴中において立体映像を鑑賞できる表示装置は存在しなかった。
【課題を解決するための手段】
【０００４】
本発明の第１の態様においては、浴室に設置される表示システムであって、浴槽内の専用メガネを装着しない観視者に対して立体的画像を表示する表示部と、前記観視者の頭部の位置を規制する頭部規制部と、を備える表示システム、および、このような表示システムを備える浴室システムを提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る表示システム１０を示す。
【図２】本実施形態に係る再生装置３４の構成の一例を示す。
【図３】本実施形態に係る変換部４８の構成を示す。
【図４】画像生成部５２により生成される右眼用画像および左眼用画像の一例を示す。
【図５】右眼用画像および左眼用画像のそれぞれの端部に対する第１処理例を示す。
【図６】右眼用画像および左眼用画像のそれぞれの端部に対する第２処理例を示す。
【図７】右眼用画像および左眼用画像のそれぞれの端部に対する第３処理例を示す。
【図８】右眼用画像および左眼用画像のそれぞれの端部に対する第４処理例を示す。
【図９】本実施形態に係る端部処理部５４の構成を示す。
【図１０】順方向および逆方向を繰り返して再生する再生処理の第１例を示す。
【図１１】順方向および逆方向を繰り返して再生する再生処理の第２例を示す。
【図１２】再生位置を不規則に変更して繰り返して再生する再生処理の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る表示システム１０を示す。表示システム１０は、例えば家庭用の浴室に設けられる。表示システム１０は、表示部３０と、頭部規制部３２と、再生装置３４とを備える。
【０００９】
表示部３０は、浴槽２２内の専用メガネを装着しない観視者に対して立体的画像を表示する。表示部３０は、一例として、裸眼立体視用の表示装置である。より具体的には、例えば、表示部３０は、レンチキュラーレンズおよびパララックスバリア等により、観視者の右眼に右眼用画像の光のみを与え、観視者の左眼に左眼用画像の光のみを与えるように、それぞれの画像の光を分離して出射する。
【００１０】
表示部３０は、浴室２０における観視者の足側の壁であって、浴槽２２に入っている観視者により鑑賞ができる位置に設置される。また、表示部３０は、壁の上側に設けられ、浴槽２２に入っている観視者が斜め上を向いて鑑賞できる位置に設けられる。また、表示部３０は、水平位置よりも下側の視点方向に光が出射されるように、すなわち、浴槽２２に入っている観視者に対して光が出射されるように、有効視野の方向が予め調整されている。
【００１１】
また、表示部３０は、一例として、対角線の長さが４０インチ以上の画面サイズである。また、表示部３０は、複数の位置から立体像が鑑賞できるように、多視点位置から立体像が観察できる表示装置であってもよい。表示部３０は、一例として、４視点以下の各視点に対して右眼用画像および左眼用画像を与える表示装置である。
【００１２】
また、表示部３０は、表示面４２と、枠縁４４とを有する。表示面４２には、曇りを防止する曇り防止機能が設けられる。曇り防止機能は、表示面４２上に貼り付けられた曇り防止用のシートであってもよいし、表示面４２に風を吹きつける装置等であってもよい。
【００１３】
枠縁４４は、表示面４２の周囲に設けられる。枠縁４４は、例えば、窓枠のようなデザインである。これにより、表示システム１０は、風景等を表示した場合に、浴室２０内から外を見ているように感じさせることができる。また、枠縁４４は、交換可能であってもよい。
【００１４】
また、表示部３０は、全体が防水機能により水分および湿気から保護される。表示部３０は、一例として、表示面４２側が透明なガラス等により覆われて、水分および湿気から保護される。また、表示面４２側を覆うガラスに枠縁４４のような装飾が施されていてもよい。また、表示部３０は、再生装置３４から無線により動画像データの信号を受け取り、動画像データを再生する。
【００１５】
また、表示部３０は、枠縁４４に代えて、表示領域の右端から予め定められた範囲、左端の予め定められた範囲、上端から予め定められた範囲および下端から予め定められた範囲に枠画像を表示してもよい。これにより、表示部３０は、枠縁４４が設けられなくても、浴室２０内から外を見ているように感じさせることができる。
【００１６】
頭部規制部３２は、浴槽２２内に入っている観視者の頭部の位置を規制する。これにより、頭部規制部３２は、観視者の視点の位置を固定して、立体像を正しい位置から鑑賞させることができる。頭部規制部３２は、一例として、浴槽２２の頭部が接触する上縁の部分に形成されたヘッドレストである。また、頭部規制部３２は、浴槽２２とは別体に形成されていてもよい。
【００１７】
再生装置３４は、右眼用画像および左眼用画像を含む動画像データを再生して、表示部３０に無線送信する。再生装置３４は、記録媒体に記録された動画像データを再生してもよいし、放送波を受信してもよいし、ネットワークを介して外部サーバから動画像データを取得してもよい。
【００１８】
また、再生装置３４は、浴室２０の外部に設けられる。これにより、再生装置３４は、浴室２０内の水分および湿気等から保護される。
【００１９】
このような表示システム１０によれば、浴槽２２内に入っている観視者に対して、立体像を鑑賞させることができる。例えば、表示システム１０は、風景等を表示することにより、浴室２０から屋外を見ているように感じさせることができる。
【００２０】
なお、表示部３０は、裸眼立体視用の表示装置ではなく、偏光分離メガネを装着して立体像を鑑賞させる表示装置であってもよい。この場合、表示システム１０は、観視者の視点と表示部３０との間に配置された偏光分離板を更に備える。偏光分離板は、表示部３０に表示された右眼用画像の偏光成分のみを透過させて観視者の右眼に与える右分離面と、表示部３０に表示された左眼用画像の偏光成分のみを透過させて観視者の左眼に与える左分離面とを有する。
【００２１】
偏光分離板は、一例として、浴槽２２と一体的に設けられる。また、偏光分離板は、浴槽２２に入っている水の上に浮かんだ支持台に設けられていてもよい。また、偏光分離板は、浴室２０の天井等に設けられ、立体像の鑑賞時において、上部から下降して観視者の顔と表示部３０との間に配置されてもよい。
【００２２】
図２は、本実施形態に係る再生装置３４の構成の一例を示す。再生装置３４は、一例として、２次元画像の動画像データを立体視用の動画像データに変換する機能を有する。この場合、再生装置３４は、画像出力部４６と、変換部４８と、送信部５０とを有する。
【００２３】
画像出力部４６は、２次元画像の動画像データを出力する。変換部４８は、画像出力部４６から出力された２次元画像の動画像データを、右眼用画像および左眼用画像を含む立体視用の動画像データに変換する。送信部５０は、変換部４８から出力された立体視用の動画像データを表示部３０へと無線送信する。
【００２４】
図３は、本実施形態に係る変換部４８の構成を示す。変換部４８は、画像生成部５２と、端部処理部５４とを含む。
【００２５】
画像生成部５２は、２次元画像を表示領域内において相対的に左右にずらした右眼用画像および左眼用画像を生成する。より詳しくは、画像生成部５２は、２次元画像を表示領域内において右側にずらして右眼用画像を生成する。また、画像生成部５２は、２次元画像を表示領域内において左側にずらして左眼用画像を生成する。なお、画像生成部５２は、動画像データの各フレームに対して、右眼用画像および左眼用画像のそれぞれを生成する。
【００２６】
端部処理部５４は、右眼用画像の左側における空白部分に画像を付加する。また、端部処理部５４は、左眼用画像の右側における空白部分内に画像を付加する。これにより、端部処理部５４は、右眼用画像の左側に生じる空白部分を埋めることができる。また、端部処理部５４は、左眼用画像の右側に生じる空白部分を埋めることができる。そして、端部処理部５４は、画像付加した右眼用画像および左眼用画像を送信部５０へと供給する。
【００２７】
図４は、画像生成部５２により生成される右眼用画像および左眼用画像の一例を示す。図４に示されるように、画像生成部５２は、１つの２次元画像を右側にずらして右眼用画像を生成する。また、画像生成部５２は、同一の２次元画像を左側にずらして左眼用画像を生成する。
【００２８】
これにより、画像生成部５２は、立体視用として生成されていない画像から、簡単な処理で立体視用の右眼用画像および左眼用画像を生成することができる。特に、画像生成部５２は、風景等を撮像した画像をこのように処理することにより、奥行き感のある自然な立体像を提供することができる。
【００２９】
また、観視者の瞳孔間距離をＬとした場合、画像生成部５２は、表示部３０上における左眼用画像および右眼用画像の水平方向における相対位置の差を、Ｌ以下とする。画像生成部５２は、一例として、表示部３０上において、２次元画像を左にＬ／２ずらした画像を左眼用画像とし、２次元画像を右にＬ／２ずらした画像を右眼用画像とする。
【００３０】
ここで、瞳孔間距離Ｌは、観視者の瞳間の距離（４０ｍｍから９０ｍｍ）である。瞳孔間距離Ｌだけ離した位置に左眼用画像および右眼用画像を表示すると、観視者は、左眼で見た左眼用画像の表示物と右眼で見た右眼用画像の表示物とを融合して一つの像として認識することができ、且つ、融合した像を無限遠に認識することができる。従って、画像生成部５２は、右眼用画像と左眼用画像との相対位置の差を瞳孔間距離Ｌ以下とすることにより、観視者に立体像を提示することができる。
【００３１】
図５は、右眼用画像および左眼用画像のそれぞれの端部に対する第１処理例を示す。２次元画像を左右にずらして右眼用画像および左眼用画像を生成した場合、右眼用画像の左端に空白部分が生じる。同様に、左眼用画像の右端にも空白部分が生じる。これらの空白は、観視者に自然な立体感を与える上で障害となることがある。
【００３２】
そこで、端部処理部５４は、右眼用画像の左側における空白部分に画像を付加する。また、端部処理部５４は、左眼用画像の右側における空白部分内に画像を付加する。これにより、端部処理部５４は、右眼用画像の左側に生じる空白部分および左眼用画像の右側に生じる空白部分を埋めて、自然な立体像を提供することができる。
【００３３】
端部処理部５４は、一例として、右眼用画像の左側および左眼用画像の右側に単一色の画像を付加する。端部処理部５４は、一例として、右眼用画像の左側および左眼用画像の右側に黒等の暗色または白等の明色の画像を付加する。
【００３４】
端部処理部５４は、このような画像を付加することにより、表示領域における右端および左端において、枠を意識させるような表示をすることができる。これにより、表示システム１０は、窓枠から外の風景を見ているような自然な立体画像を観視者に提供することができる。
【００３５】
図６は、右眼用画像および左眼用画像のそれぞれの端部に対する第２処理例を示す。端部処理部５４は、一例として、右眼用画像における表示領域の右端から予め定められた範囲内に表示される部分画像をコピーして、左眼用画像の右側に付加してもよい。また、端部処理部５４は、一例として、左眼用画像における表示領域の左端から予め定められた範囲内に表示される部分画像をコピーして、右眼用画像の左側に付加してもよい。これにより、表示システム１０は、表示領域の右端部または左端部において輻輳が生起された場合であっても、画像がかけ離れていないので視野闘争を軽減して、不自然に感じない画像を提供することができる。
【００３６】
また、端部処理部５４は、一例として、左眼用画像の右側に、右眼用画像における表示領域の右端から予め定められた範囲内に表示される部分をぼかした画像を付加してもよい。また、端部処理部５４は、一例として、右眼用画像の左側に、左眼用画像における表示領域の左端から予め定められた範囲内に表示される部分をぼかした画像を付加してもよい。これにより、表示システム１０は、表示領域の右端部または左端部において輻輳が生起された場合、視野闘争を軽減することができる。
【００３７】
図７は、右眼用画像および左眼用画像のそれぞれの端部に対する第３処理例を示す。端部処理部５４は、一例として、右眼用画像を左に拡大することにより、空白部分に画像を付加した右眼用画像を生成してもよい。また、端部処理部５４は、一例として、左眼用画像を右に拡大することにより、空白部分に画像を付加した左眼用画像を生成してもよい。
【００３８】
この場合において、端部処理部５４は、右眼用画像を左の端部に近いほど大きい拡大率で左側に拡大する。また、この場合において、端部処理部５４は、右眼用画像の予め定められた位置（例えば中央位置）から右側の画像を拡大しなくてもよい。また、端部処理部５４は、左眼用画像を右の端部に近いほど大きい拡大率で右側に拡大する。また、この場合において、端部処理部５４は、左眼用画像の予め定められた位置（例えば中央位置）から左側の画像を拡大しなくてもよい。これにより、表示システム１０は、端部において画像が連続した自然な画像を提供することができる。
【００３９】
図８は、右眼用画像および左眼用画像のそれぞれの端部に対する第４処理例を示す。端部処理部５４は、一例として、右眼用画像の左側に画像を付加することに代えて、左眼用画像の左側の予め定められた範囲を削除してもよい。また、端部処理部５４は、左眼用画像の右側に画像を付加することに代えて、右眼用画像の右側の予め定められた範囲を削除してもよい。
【００４０】
このような端部処理部５４は、立体画像を提供することができない画像領域を無くした画像を表示することができる。ここで、表示部３０は、表示領域中における画像が削除された部分から、暗色（例えば黒画像）等を出力する。これにより、表示システム１０は、外枠を設けた場合と同様に、自然な立体画像を提供することができる。
【００４１】
図９は、本実施形態に係る端部処理部５４の構成を示す。端部処理部５４は、一例として、動画像データの一部の期間内を順方向および逆方向に交互に繰り返して出力してもよい。この場合、画像出力部４６は、記憶部６２と、指定部６４と、再生部６６とを有する。
【００４２】
記憶部６２は、動画像データを記憶する。指定部６４は、記憶部６２に記憶された動画像データにおける一部の区間を指定区間として指定する。再生部６６は、動画像データの指定区間内において、順方向から逆方向への折返しおよび逆方向から順方向への折返しを交互に繰り返して再生する。以上のような表示システム１０は、比較的に短い動画像データを、途切れ無く自然に連続して表示することができる。
【００４３】
図１０は、順方向および逆方向を繰り返して再生する処理の第１例を示す。本実施形態に係る表示システム１０により再生される指定区間の一例を示す。指定部６４は、一例として、動画像データにおける１秒以上２秒以下の再生時間の区間を、指定区間として指定する。そして、再生部６６は、このような指定区間を順方向および逆方向に連続して再生する。これにより、表示システム１０は、動画像データから、例えば現実に風景を見ているような、自然に揺らぎのある静止画的な画像を表示することができる。
【００４４】
また、指定部６４は、一例として、非可逆的な動作をするオブジェクトが表示されない区間を、指定区間として指定する。非可逆的な動作をするオブジェクトとは、例えば、上から下へ落下するオブジェクト、一方向へ移動中の人および自動車等のオブジェクトである。
【００４５】
指定部６４は、一例として、画像フレーム内に含まれるオブジェクトの動きを検出して、一方に動くオブジェクトを非可逆的な動作をするオブジェクトとして検出する。これにより、再生部６６は、逆方向に再生されることにより不自然となるオブジェクトを含まない指定区間を順方向および逆方向に繰返して再生することができる。これにより、表示システム１０によれば、樹木が揺らめいている風景のような、逆方向に再生しても違和感の無い自然な画像を表示することができる。
【００４６】
図１１は、順方向および逆方向を繰り返して再生する処理の第２例を示す。再生部６６は、一例として、順方向から逆方向への折返し位置および逆方向から順方向への折返し位置を、折返し毎に変更してもよい。この場合、再生部６６は、例えば、ランダムに折り返し位置を決定する。これにより、表示システム１０によれば、樹木が揺らめいている様子を、より自然な揺らぎで表示することができる。
【００４７】
図１２は、再生位置を不規則に変更して繰り返して再生する処理の一例を示す。再生部６６は、一例として、動画像データにおける一部の指定区間内において、再生位置を毎回変更しながら、当該指定区間内より短い区間を順方向のみに（または逆方向のみに）繰り返して再生してもよい。この場合、再生部６６は、例えば、再生位置をランダムに変更し、さらに、それぞれの再生時間をランダムに変更する。これにより、表示システム１０によれば、画像が不規則に揺らいでいるように表示することができる。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５０】
１０  表示システム、２０  浴室、２２  浴槽、３０  表示部、３２  頭部規制部、３４  再生装置、４２  表示面、４４  枠縁、４６  画像出力部、４８  変換部、５０  送信部、５２  画像生成部、５４  端部処理部、６２  記憶部、６４  指定部、６６  再生部
【図１】
2013093743.tif 000003
【図２】
2013093743.tif 000004
【図３】
2013093743.tif 000005
【図４】
2013093743.tif 000006
【図５】
2013093743.tif 000007
【図６】
2013093743.tif 000008
【図７】
2013093743.tif 000009
【図８】
2013093743.tif 000010
【図９】
2013093743.tif 000011
【図１０】
2013093743.tif 000012
【図１１】
2013093743.tif 000013
【図１２】
2013093743.tif 000014